(57)【特許請求の範囲】
【請求項１】
被測定試料に所定の測定信号を与え、同試料から得られる電流成分および電圧成分をＡ／Ｄ変換回路を介して取り込むとともに、ＣＰＵにてそのデータに所定の演算処理を施してインピーダンスや位相角などの各パラメータ値を算出し、操作部からの指示に基づいてその測定データをディスプレイに表示するにあたって、上記ＣＰＵは上記ディスプレイの所定表示区画内に、項目表示部および測定値表示部を含む複数の表示領域を設定し、上記操作部よりその表示領域内のいずれかの上記項目表示部が指定されることに伴ない、上記ディスプレイの異なる表示区画内にインピーダンスや位相角などのパラメータを選択するためのパラメータ選択画面を表示し、上記操作部より同パラメータ選択画面内の所定のパラメータが選択されると、その選択されたパラメータ項目を上記指定された上記項目表示部に表示するとともに、それと対をなす上記測定値表示部にそのパラメータの測定値を表示することを特徴とするＬＣＲメータにおける測定データの表示方法。
【請求項２】
上記操作部が上記ディスプレイに配置されたタッチパネルからなることを特徴とする請求項１に記載のＬＣＲメータにおける測定データの表示方法。
【請求項３】
上記パラメータ選択画面には上記測定値表示部に測定データの表示を要しない表示オフキー部が表示され、上記操作部より同表示オフキー部が選択された場合には、隣接する表示領域に表示される測定値を当該表示領域にかけて拡大表示することを特徴とする請求項１または２に記載のＬＣＲメータにおける測定データの表示方法。
【発明の詳細な説明】
【０００１】
【発明の属する技術分野】
本発明はＬＣＲメータにおける測定データの表示方法に関し、さらに詳しく言えば、被測定試料についての測定データを任意のパラメータを指定して表示することができるようにしたＬＣＲメータにおける測定データの表示方法に関するものである。
【０００２】
【従来の技術】
ＬＣＲメータにおいては、測定信号源から被測定試料に所定の測定信号を印加し、その際被測定試料より得られる電流もしくは電圧信号を検出し、Ａ／Ｄ変換した後、ＣＰＵ（中央演算処理ユニット）にて所定の演算を施すことにより、インピーダンスＺや位相角θなどの各パラメータ値が求められる。
【０００３】
この測定データは例えばＬＣＤ（液晶表示素子）からなるディスプレイに表示されるが、図６にはその表示例が示されている。すなわち、従来においては一般的に、ディスプレイの表示画面内の固定された位置に２つの表示領域１，２が用意されており、この表示領域１，２に被測定試料のインピーダンスＺや位相角θなどの２つのデータがペアとして表示されるようになされている。
【０００４】
このように、表示領域が表示領域１，２の２つである場合、どの項目（パラメータ）についての測定データを表示するかについては、その方法が大体において次の２通りに限られている。
【０００５】
その第１の方法としては、例えば「インピーダンス（Ｚ）−位相角（θ）」、「静電容量（Ｃ）−損失角（Ｄ）」のように選択できるペアがあらかじめ決められていて、この場合にはユーザーがその既定のペアの中から表示項目を選択することになる。これによると、「Ｚ−θ」などのように一般的によく使われる項目同士が組み合わせられているため、その範囲内で項目を選択するうえで都合がよい。
【０００６】
第２の方法は、表示項目は任意に選択できるが、各表示領域１，２ごとに選択できる項目が限られている場合である。すなわち、表示領域１に表示できるのが例えば「Ｚ」ｏｒ「Ｃ」ｏｒ「Ｌ」のいずれか一つであり、表示領域２表示できるのが「Ｄ」ｏｒ「Ｑ」ｏｒ「θ」などであるように、表示できる項目が各表示領域ごとに決められていて、これによれば重複することなく所望とする組み合わせで表示項目を選択することができる。
【０００７】
【発明が解決しようとする課題】
しかしながら、前者の方法では表示したい項目の組み合わせが一般的なものである場合には確かに都合がよいが、それ以外の組み合わせ表示ができない、という問題がある。
【０００８】
他方、後者の場合には例えば並列等価回路の容量（Ｃｐ）および直列等価回路の容量（Ｃｓ）の各パラメータについては、いずれも表示領域１，２の一方にしか設定し得ないようにしておくことにより、「Ｃｐ−Ｃｓ」などの組み合わせ、すなわち並列・直列等価回路が混在したような表示項目の設定を禁ずることができる。しかしながら、各表示領域１，２ごとに設定できる項目が制限されているため、例えば表示領域１には「Ｄ」や「θ」などを表示することができないなどの点で依然として制約を受けることになり、この意味において表示項目を自由に選択することができない。
【０００９】
本発明は、このような従来の問題点を解決するためになされたもので、その目的は、被測定試料についての測定データを任意のパラメータを指定して表示することができるようにしたＬＣＲメータにおける測定データの表示方法を提供することにある。
【００１０】
【課題を解決するための手段】
上記目的を達成するため、請求項１の発明は、被測定試料に所定の測定信号を与え、同試料から得られる電流成分および電圧成分をＡ／Ｄ変換回路を介して取り込むとともに、ＣＰＵにてそのデータに所定の演算処理を施してインピーダンスや位相角などの各パラメータ値を算出し、操作部からの指示に基づいてその測定データをディスプレイに表示するにあたって、上記ＣＰＵは上記ディスプレイの所定表示区画内に、項目表示部および測定値表示部を含む複数の表示領域を設定し、上記操作部よりその表示領域内のいずれかの上記項目表示部が指定されることに伴ない、上記ディスプレイの異なる表示区画内にインピーダンスや位相角などのパラメータを選択するためのパラメータ選択画面を表示し、上記操作部より同パラメータ選択画面内の所定のパラメータが選択されると、その選択されたパラメータ項目を上記指定された上記項目表示部に表示するとともに、それと対をなす上記測定値表示部にそのパラメータの測定値を表示することを特徴としている。
【００１１】
この場合、請求項２に記載されているように、上記操作部が上記ディスプレイ上に配置されたタッチパネルからなることが好ましく、これによれば画面上で所望とするパラメータを直接的に指示することができ、カーソルによる場合に比べて簡単かつ適確な指示が行なえる。
【００１２】
また、請求項３においては、上記パラメータ選択画面には上記測定値表示部に測定データの表示を要しない表示オフキー部が表示され、上記操作部より同表示オフキー部が選択された場合には、隣接する表示領域に表示される測定値を当該表示領域にかけて拡大表示することを特徴としており、これによれば限られた表示領域を有効に活用して測定データを表示することができる。
【００１３】
【発明の実施の形態】
次に、本発明の技術的思想をよりよく理解するため、図１ないし図５を参照しながらその実施の形態について説明する。
【００１４】
図１には本発明に適用されるＬＣＲメータのブロック線図が例示されており、まず、その構成を概略的に説明する。これによると、測定信号源１０から信号被測定試料Ｘに対して所定周波数の測定信号が印加されるとともに、検出部１１にて同試料Ｘからの電流および／または電圧信号が検出される。
【００１５】
その検出信号は次段のＡ／Ｄ変換器１２にてディジタル信号に変換される。ＣＰＵ（中央演算処理ユニット）１３はその測定データをデータ格納用ＲＡＭ１４に書き込む。また、ＣＰＵ１３はＲＯＭ１５内の演算プログラムにしたがってその測定データに所定の演算を施し、被測定試料のインピーダンスＺ、位相角θ、並列等価回路の容量Ｃｐや直列等価回路の容量Ｃｓなどを算出し、これらの各パラメータ値をデータ格納用ＲＡＭ１４の所定領域に格納する。
【００１６】
これらのパラメータ値を含む各測定データ（測定値）は、ユーザーからの要求にしたがってディスプレイ１６に表示される。この場合、ディスプレイ１６はＣＲＴや液晶表示素子などであってよいが、ユーザーからＣＰＵ１３に指示を与える操作部としては、その画面上に重ねて配置されるタッチパネルが用いられている。図２にはその表示画面が例示されているが、タッチパネルは透明体であるため、同図においては省略されている。
【００１７】
データ格納用ＲＡＭ１４に被測定試料Ｘからの測定データおよびそれに基づいて算出された各パラメータ値（以下の説明でこれらのデータを単に測定値と言うこともある。）がすでに記憶されているものとして、次にその測定値の表示方法について説明する。
【００１８】
図２には、ディスプレイ１６の画面上にデータ表示部２０とパラメータ選択画面３０とが同時に表示されている状態が示されているが、この実施例において、表示指示待ちの初期画面にはデータ表示部２０のみが表示され、パラメータ選択画面３０は表示されていない。
【００１９】
データ表示部２０には、例えば４つの表示領域２１〜２４が縦方向に所定間隔をもって設定されており、各表示領域２１〜２４には項目表示部２０１と測定値表示部２０２とがそれぞれ設けられている。なお、この例では各表示領域２１〜２４、各項目表示部２０１それに各測定値表示部２０２は鎖線枠で囲まれているが、これは説明の便宜を図ってのことであり、項目表示部２０１を除いてはその枠は表示されなくてもよい。また、この鎖線枠は表示されるにしても、実際には液晶表示画面にて表示され、タッチパネルには固定表示とされていない。
【００２０】
この状態で、ユーザーにより例えば表示領域２１内の項目表示部２０１が触れられると、データ表示部２０の隣りの表示区画内にパラメータ選択画面３０が表示される（図２参照）。この実施例において、パラメータ選択画面３０内にはインピーダンスを意味するシンボル記号「Ｚ」、位相角を意味する「θ」、損失角を意味する「Ｄ」、並列等価回路の容量を意味する「Ｃｐ」、直列等価回路の容量を意味する「Ｃｓ」および測定値の表示を不要とする「ＯＦＦ」キー部などが表示される。なお、パラメータ選択画面３０の表示領域を示す鎖線枠および各パラメータのシンボル記号を囲んでいる実線枠は表示されなくてもよい。
【００２１】
そこで、例えばユーザーによりパラメータ選択画面３０内のインピーダンスを意味するシンボル記号「Ｚ」が触れられたとすると、図３に例示されているように、表示領域２１の項目表示部２０１に「Ｚ」が表示されるとともに、ＣＰＵ１３によりデータ格納用ＲＡＭ１４からそのインピーダンス値が読み出され、それと対をなす測定値表示部２０２にその測定値としての例えば「１００．００ｋΩ」なる測定値が表示される。
【００２２】
また、図３には続いて表示領域２２、２３について、その各項目表示部２０１にユーザーの指が触れられ、パラメータ選択画面３０内からそれぞれ並列等価回路の容量Ｃｐおよび直列等価回路の容量Ｃｓが順次指定された場合についての表示例が示されており、この例では並列等価回路の容量Ｃｐが１００．００ｐＦ，直列等価回路の容量Ｃｐが１００．００μＦであることを示している。
【００２３】
図４には上記の動作フローチャートが示されているが、例えば最下段の表示領域２４において、その項目表示部２０１の選択時にパラメータ選択画面３０内の表示「ＯＦＦ」キー部が選択されたとすると、その測定値表示部２０２は本来ブランク表示となるが、この実施例では図５に例示されているように、そのブランク表示部を利用して、例えばその上部表示領域２３の測定値「１００．００μＦ」を拡大表示するようにしている。これにより、測定値の表示を要しない表示領域を有効活用し、データ表示部２０の限られた表示画面内で、その測定データを鮮明に表示するようにしている。
【００２４】
【発明の効果】
以上説明したように、本発明によれば、次のような効果が奏される。すなわち、請求項１の発明においては、操作部からの指示に基づいて被測定試料の測定値をディスプレイに表示するにあたって、まず、ディスプレイの所定表示区画内に、項目表示部および測定値表示部を含む複数の表示領域を設定し、次に、操作部よりその表示領域内のいずれかの項目表示部が指定されることに伴ない、ディスプレイの異なる表示区画内にインピーダンスや位相角などのパラメータを選択するためのパラメータ選択画面を表示し、そして、操作部より同パラメータ選択画面内の所定のパラメータが選択されると、その選択されたパラメータ項目を上記指定された項目表示部に表示するとともに、それと対をなす測定値表示部にそのパラメータの測定値を表示するようにしたことにより、ユーザー側で何らの制約を受けることなく、任意に被測定試料についてのパラメータを指定して、その測定値を知ることができる。
【００２５】
また、操作部をディスプレイ上に配置されるタッチパネルとした請求項２の発明によれば、請求項１の効果に加えて、画面上で所望とするパラメータを直接的に指示することができ、カーソルによる場合に比べて簡単かつ適確な指示が行なえるという効果が奏される。
【００２６】
さらに、パラメータ選択画面に測定値表示部に測定データの表示を要しない表示オフキー部を表示し、操作部より同表示オフキー部が選択された場合には、隣接する表示領域に表示される測定値を当該表示領域にかけて拡大表示するようにした請求項３の発明によれば、請求項１の効果に加えて、限られた表示領域を有効に活用して測定データを表示することができるという効果が奏される。
【図面の簡単な説明】
【図１】本発明を実施する上で用いられるＬＣＲメータの構成を例示した概略的なブロック線図。
【図２】本発明によるディスプレイの表示構成を説明するための画面図。
【図３】本発明により表示されるパラメータとその測定値の一例を示した画面図。
【図４】本発明の動作説明用フローチャート。
【図５】本発明の他の実施例によるパラメータとその測定値の表示状態を示した画面図。
【図６】ＬＣＲメータにおける従来の測定値表示例を示した表示領域の模式図。
【符号の説明】
１０  測定信号源
１１  検出部
１２  Ａ／Ｄ変換器
１３  ＣＰＵ
１４  データ格納用ＲＡＭ
１５  ＲＯＭ
１６  ディスプレイ
２０  データ表示部
２１〜２４  表示領域
２０１  項目表示部
２０２  測定値表示部
３０  パラメータ選択画面
【図１】
0003569381.tif 000002
【図２】
0003569381.tif 000003
【図３】
0003569381.tif 000004
【図４】
0003569381.tif 000005
【図５】
0003569381.tif 000006
【図６】
0003569381.tif 000007